(57)【要約】      （修正有）【課題】空調機からダクトを通じて送風を受け、排出するダクトチャンバーにおいて、ダクトからの送風量を簡易に調整できる風量調整機構を備えたダクトチャンバーを提供する。【解決手段】ダクトチャンバー１の内部の入気口付近に、取付金具１２、１３に回転自在に支持された支持軸１４に固定されたダンパー１５からなる風量調整機構１１と、ダンパー１５に固定された係止軸と、この係止軸が係合する係止孔を有する係止部２３とからなる係止機構と、少なくとも排出口７から取付金具１３の操作部１７までの長さを有する離間調整部材とからなる。【選択図】図３
0003182230.tif 000002
【実用新案登録請求の範囲】
【請求項１】
空調機からダクトを通じて入気口から送風を受け、排気口から排出するダクトチャンバーにおいて、
ダクトチャンバーの内部に取り付けられ、入気口から流入する風量を調整する風量調整機構と、
風量調整機構による調整状態を保持する係止機構と、
風量調整部材による風量の調整を離間位置からなし得る離間調整部材を備えたことを特徴とする離間位置からの風量調整機構を備えたダクトチャンバー。
【請求項２】
前記風量調整機構は、入気口の周囲であって、ダクトチャンバー内に取り付けられ、排気口側に位置する排気口側取付金具と、
前記排気口側取付金具と入気口を挟んで対向する位置にある対向側取付金具と、
前記両取付金具のそれぞれに開口される支持孔と、
前記支持孔に挿通され、入気口の中心点を通る回転自在に支持された支持軸と、
前記支持軸に固定され、前記支持軸の回転により開閉されるダンパーと、
前記支持軸の回転を操作する操作部と、
からなることを特徴とする請求項１に記載の離間位置からの風量調整機構を備えたダクトチャンバー。
【請求項３】
前記係止機構は、前記対向側取付金具からダクトチャンバー内部方向に延長され、扇形に形成された係止部と、
前記ダンパーに固定され、前記係止部へ伸びる軸方向を有する係止軸と、
前記係止部に開孔され、前記ダンパーの開閉に応じて係止軸が移動する位置にあり、係止軸が挿入される複数の係止孔と、
係止軸の係止孔への挿入状態を保持するために支持軸に配置された弾性部材と、
からなることを有することを特徴とする請求項２に記載の離間位置からの風量調整機構を備えたダクトチャンバー。
【請求項４】
離間調整部材は、少なくとも排気口から操作部までの長さを有し、
その先端に操作部と連結する連結部を有し、
使用者が排気口から操作自在としたことを特徴とする請求項２または３のいずれかに記載の離間位置からの風量調整機構を備えたダクトチャンバー。
【考案の詳細な説明】
【技術分野】
【０００１】
本考案は、空調機からダクトを通じて送風を受け、排出するダクトチャンバーにおいて、ダクトからの送風量を調整するものに関する。
【背景技術】
【０００２】
従来、送風ダクトに装着されるインレットの回動軸にダンパーを回動自在に取り付け、蝶ネジにより回動を止めることができる制気口ボックスがあった。
（例えば特許文献１参照）
【先行技術文献】
【特許文献】
【０００３】
【特許文献１】実用新案登録第３１５５２１０号公報
【考案の概要】
【考案が解決しようとする課題】
【０００４】
従来の制気口ボックスは、ダンパーにより気体の風量を調整することが可能である。しかし、制気口ボックスは通常、屋内にはなく、壁面、天井の裏側に配置されている。この制気口ボックスの風量を調整するために、排出口に取り付けられた装着部材を取り外し、使用者がボックス内に直接手を入れて蝶ネジを回して調整しなければならず、調整が煩雑であった。
【０００５】
そこで、装着部材を取り外さずに簡易に風量を調整できるものが望まれていた。
【課題を解決するための手段】
【０００６】
そこで、本考案の離間位置からの風量調整機構を備えたダクトチャンバーは、空調機からダクトを通じて入気口から送風を受け、排気口から排出するダクトチャンバーにおいて、ダクトチャンバーの内部に取り付けられ、入気口から流入する風量を調整する風量調整機構と、風量調整機構による調整状態を保持する係止機構と、風量調整部材による風量の調整を離間位置からなし得る離間調整部材を備えたことを特徴とする。
【０００７】
また、前記風量調整機構は、入気口の周囲であって、ダクトチャンバー内に取り付けられ、排気口側に位置する排気口側取付金具と、前記排気口側取付金具と入気口を挟んで対向する位置にある対向側取付金具と、前記両取付金具のそれぞれに開口される支持孔と、前記支持孔に挿通され、入気口の中心点を通る回転自在に支持された支持軸と、前記支持軸に固定され、前記支持軸の回転により開閉されるダンパーと、前記支持軸の回転を操作する操作部と、からなることが好ましい。
【０００８】
また、前記係止機構は、前記対向側取付金具からダクトチャンバー内部方向に延長され、扇形に形成された係止部と、前記ダンパーに固定され、前記係止部へ伸びる軸方向を有する係止軸と、前記係止部に開孔され、前記ダンパーの開閉に応じて係止軸が移動する位置にあり、係止軸が挿入される複数の係止孔と、係止軸の係止孔への挿入状態を保持するために支持軸に配置された弾性部材と、からなることが好ましい。
【０００９】
また、離間調整部材は、少なくとも排気口から操作部までの長さを有し、その先端に操作部と連結する連結部を有し、使用者が排気口から操作自在としたことが好ましい。
【考案の効果】
【００１０】
請求項１に記載の発明により、離間位置からダクトチャンバー内の風量調整機構により風量を調整し、その調整状態を保持することができるので、装着部材を取り外したり、ダクトチャンバー内に直接手を入れて風量調整を行わずに済む。
【００１１】
請求項２に記載の発明により、簡易な手段により装着部材を取り外さずにダクトから流入する風量を入気口で調整することが可能になる。
【００１２】
請求項３に記載の発明により、簡易な手段により風量調整機構の調整状態を保持することが可能になる。また、支持軸の回転により係止軸が移動するため、使用者が操作部のみの操作により、風量の調整とその保持を行うことができる。
【００１３】
請求項４に記載の発明により、少なくとも排気口から装着部材を取り外さずに操作部を操作でき、屋内側に露出した排気口から風量を調整することが可能になる。
【図面の簡単な説明】
【００１４】
【図１】本考案に係るダクトチャンバーの実施の一例を示す全体斜視図である。
【図２】本考案に係るダクトチャンバーの使用状態の一例を示す下方からの全体斜視図である。
【図３】本考案に係るダクトチャンバーに装着部材を取り付けた状態の断面図である。
【図４】本考案の風量調整機構、係止機構、離間調整部材を分離して示す斜視図である。
【図５】本考案の風量調整機構によりダンパーを閉じた状態を示す部分拡大斜視図である。
【図６】本考案の風量調整機構によりダンパーを開けた状態を示す部分拡大斜視図である。
【考案を実施するための形態】
【００１５】
本考案の風量調整機構１１を備えたダクトチャンバー１について図面に沿って説明する。図１、図３に示すように、本考案の風量調整機構１１が配置されるダクトチャンバー１は、その内部が空洞の長方形状の箱体である。この空洞となった内部が気体の通気路３となる。
【００１６】
ダクトチャンバー１の外表面に円形の入気口２が開口されており、入気口２の周縁はダクト４を取り付けるための、ダクト取付部５が形成される。ダクトチャンバー１の下部には延長部６が配置されている。延長部６は筒形状であり、ダクトチャンバー１の内部の通気路３と連続し、その先端が排気口７となる。
【００１７】
図２に示すように、ダクトチャンバー１の使用状態では取付部５にダクト４を取り付け、空調設備（図示しない）から冷気、暖気等の気体がダクトチャンバー１に送風される。このダクト４から送られた気体は、入気口２を通じてダクトチャンバー１内の通気路３に流入し、延長部６の排気口７を通じて排出される。
【００１８】
延長部６の排気口７に装着部材８が取り付けられる。空調設備やダクトチャンバー１は壁９の裏側に配置され、壁からは装着部材８のみが露出するようにする。このように配置することで、空調設備からの気体が屋内に排出され、外観的に優れたものとなり、一般的に利用されている。本考案は壁９に露出した排気口７から風量を調整できるダクトチャンバー１であり、従来品のように装着部材の取り外しをせず、使用者が直接手をダクトチャンバー１内に入れずに、調整が可能となるものである。
【００１９】
次に、本実施例における風量調整について説明する。
図４に示すように、風量調整機構１１は、主に、対向側取付金具１２、排気口側取付金具１３、支持軸１４、ダンパー１５とからなる。
【００２０】
風量調整機構１１は、ダクトチャンバー１の内部であって、入気口２の付近に取り付けられる。ダクトチャンバー１内の入気口２の上側に対向側取付金具１２、排気口側となる入気口２の下側に排気口側取付金具１３がネジ止めされている。対向側取付金具１２と排気口側取付金具１３には、支持軸１４を支持する支持孔１６、１６が開孔され、この支持孔１６、１６に支持軸１４を通して回転自在に支持する。
【００２１】
対向側取付金具１２と排気口側取付金具１３は、円形の入気口２の最上部と最下部に取り付けられ、その支持孔１６、１６に支持された支持軸１４は、円形の入気口２の開口面のうち、その中心点を通るように配置される。
【００２２】
この支持軸１４にダンパー１５が固定されている。ダンパー１５は入気口２と同じ円形の板状部材である。ダンパー１５はその中心線上に支持軸１４が配置されるように固定され、その平面面積は、入気口２の開口面積より若干小さく形成される。支持軸１４を回転させることにより、ダンパー１５も支持軸を軸心として回転する。このダンパー１５の回転による開閉動作により、入気口２の一定範囲を塞ぐことで、ダクトチャンバー１への風量を調整することができる。
【００２３】
次に、風量調整の係止機構２１について説明する。図４に示すように、係止機構２１は、係止軸２２と係止部２３とからなるもので、風量調整のためのダンパー１５の開閉状態を保持する。
【００２４】
係止部２３は、対向側取付金具１２の一部分を入気口２からダクトチャンバー１の内側方向へ延長したものであり、平面扇型に形成されている。係止軸２２は、支持軸１４と同じ垂直方向に伸びる軸体であり、ダンパー１５に固定されている。支持軸１４と異なり、係止軸２２はダンパー１５の中心線上ではなく、ダクトチャンバー１の内側から入気口２に向かって右端に固定されている。
【００２５】
支持軸１４を回転させると、支持軸１４に固定されたダンパー１５も回転し、入気口２を開閉する。このとき、ダンパー１５に固定された係止軸２２は、ダンパー１５の開閉に従い、円周方向に移動する。係止軸２２の移動方向に沿って、係止部２３の係合位置に係止孔２４ａ〜２４ｅが開孔されている。
【００２６】
係止孔２４ａは、入気口２の開口面に対して、ダンパー１５が９０度回転した状態、係止孔２４ｂはダンパー１５が６７．５度回転した状態、係止孔２４ｃはダンパー１５が４５度回転した状態、係止孔２４ｄはダンパー１５が２２．５度回転した状態、係止孔２４ｅはダンパー１５が回転していない状態の位置にある。係止軸２２が係止孔２４ａ〜２４ｅに挿入されることで、ダンパー１５の回転が係止される。
【００２７】
この係止孔２４ａ〜２４ｅへの係止軸２２の挿入及び挿入状態の解除は、支持軸１４を上側から下側へ移動させることにより行う。支持軸１４は、支持孔１６の開口面積よりも大きなバネ２５、バネ制止環２６を介して、排気口側取付金具１３の支持孔１６に通して支持されている。このバネ２５を、バネ制止環２６と排気口側取付金具１３により圧縮する分だけ、支持軸１４を上側から下側へ引っ張ることができる。支持軸１４の引っ張りを解除するとバネ２５が伸長し、自動的に係止状態に戻る。このように、支持軸１４を移動させることで、係止軸２２の係止孔２４ａ〜２４ｅへの係合またはその係合状態を解除することが可能になる。
【００２８】
また、支持軸１４は下側取付金具１３の支持孔１６より下側の位置において水平状に折曲されている操作部１７を有している。この操作部１７は離間調整部材３１により使用者が操作する部分となる。操作部１７は支持軸１４の引っ張りを解除し、バネが伸長して支持軸１４が上側に移動しても、操作部１７が排気口側取付金具１３に係合することにより、支持軸１４がそれより上側に移動することはない。
【００２９】
次に、離間調整部材３１について説明する。図４に示すように、離間調整部材３１は、先端が開孔された連結部３２を有する垂直方向に長くて細い板状部材である。末端が把持部３３であり、使用者は把持部３３を把持して操作部１７を操作する。離間調整部材３１は、少なくとも、ダクトチャンバー１の排気口７から支持軸１４の操作部１７までの長さよりも長く形成される。
【００３０】
離間調整部材３１の使用は、使用者が把持部３３を持ち、離間調整部材３１を屋内に露出した排気口７から通気路３へ挿入し、離間調整部材３１の先端の連結部３２に操作部１７を通すことで連結する。そして、離間調整部材３１により操作部１７を操作することで、少なくとも排気口７がある離間位置から装着部材８の取り外しをせずに風量の調整が可能になる。
【００３１】
次に、この操作部１７による操作について説明する。
図５に示すように、離間調整部材３１の連結部３２に操作部１７を通して連結し、この状態で、離間調整部材３１を下側に引っ張ると、支持軸１４が引っ張られ、係止軸２２が係止孔２４ｅに係止された係止状態が解除される。係止状態が解除された後、離間調整部材３１を把持する手を左側に捻ると、図６に示すように、支持軸１４、ダンパー１５が左に回転し、ダンパー１５が入気口２を開ける。また、離間調整部材３１の操作により、ダンパー１５の回転を２２．５度、４５度、６７．５度にすれば、風量を調整することができる。そして、調整した状態から離間調整部材３１の下側への引っ張りを解除すると、係止軸２２が係止孔２４ａに挿入され、ダンパー１５を開いた状態が保持される。
【００３２】
離間調整部材３１は、薄板状であるから、装着部材８の内側に収納することができる。その収納は、例えば、テープで張り付けたり、孔状の連結部３２を引っ掛けるフックを通気口３の内部に配置することができる。これにより、離間調整部材３１を使用する場合に、適宜取り出すことが可能になる。
【符号の説明】
【００３３】
１…ダクトチャンバー、２…入気口、３…通気路、４…ダクト、５…ダクト取付部、６…延長部、７…排気口、８…装着部材、９…壁、１１…風量調整機構、１２…対向側取付金具、１３…排気口側取付金具、１４…支持軸、１５…ダンパー、１６…支持孔、１７…操作部、２１…係止機構、２２…係止軸、２３…係止部、２４ａ〜２４ｅ…係止孔、２５…バネ、２６…バネ制止環、３１…離間調整部材、３２…連結部、３３…把持部
【図１】
0003182230.tif 000003
【図２】
0003182230.tif 000004
【図３】
0003182230.tif 000005
【図４】
0003182230.tif 000006
【図５】
0003182230.tif 000007
【図６】
0003182230.tif 000008